【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
入力信号の現フレームに基づいて入力信号スペクトルをサブバンド単位で得る入力信号スペクトル取得手段と、
前記入力信号の過去のフレームに基づいて推定された推定雑音スペクトルを前記サブバンド単位で得る推定雑音スペクトル取得手段と、
前記サブバンド単位で、
前記入力信号スペクトル取得手段で得られた入力信号スペクトルと、
前記推定雑音スペクトル取得手段で得られた推定雑音スペクトルと、
前記入力信号スペクトル取得手段で得られた入力信号スペクトル及び前記推定雑音スペクトル取得手段で得られた推定雑音スペクトルの関数と
に基づいて、ＳＮ比を得るＳＮ比取得手段と、
前記ＳＮ比取得手段で得られたＳＮ比に基づいて、前記入力信号の雑音抑圧に用いられる抑圧係数を前記サブバンド単位で得る抑圧係数取得手段と、
前記入力信号と前記抑圧係数取得手段で得られた抑圧係数とに基づいて、雑音抑圧された出力信号を得る出力信号取得手段と
を有する事を特徴とする雑音抑圧装置。
【請求項２】
入力信号の現フレームに基づいて入力信号スペクトルをサブバンド単位で得る入力信号スペクトル取得手段と、
前記入力信号の過去のフレームに基づいて推定された推定雑音スペクトルを前記サブバンド単位で得る推定雑音スペクトル取得手段と、
前記サブバンド単位で、
前記入力信号スペクトル取得手段で得られた入力信号スペクトルと、
前記推定雑音スペクトル取得手段で得られた推定雑音スペクトルと、
前記入力信号スペクトル取得手段で得られた入力信号スペクトル及び前記推定雑音スペクトル取得手段で得られた推定雑音スペクトルの関数と
に基づいて、
前記入力信号に含まれる雑音成分の程度が大きいほど小さくなるようなＳＮ比を得るＳＮ比取得手段と、
前記ＳＮ比取得手段で得られたＳＮ比に基づいて、前記入力信号の雑音抑圧に用いられる抑圧係数を前記サブバンド単位で得る抑圧係数取得手段と、
前記入力信号と前記抑圧係数取得手段で得られた抑圧係数とに基づいて、雑音抑圧された出力信号を得る出力信号取得手段と
を有する事を特徴とする雑音抑圧装置。
【請求項３】
入力信号の現フレームに基づいて入力信号スペクトルをサブバンド単位で得る入力信号スペクトル取得ステップと、
前記入力信号の過去のフレームに基づいて推定された推定雑音スペクトルを前記サブバンド単位で得る推定雑音スペクトル取得ステップと、
前記サブバンド単位で、
前記入力信号スペクトル取得ステップで得られた入力信号スペクトルと、
前記推定雑音スペクトル取得ステップで得られた推定雑音スペクトルと、
前記入力信号スペクトル取得ステップで得られた入力信号スペクトル及び前記推定雑音スペクトル取得ステップで得られた推定雑音スペクトルの関数と
に基づいて、ＳＮ比を得るＳＮ比取得ステップと、
前記ＳＮ比取得ステップで得られたＳＮ比に基づいて、前記入力信号の雑音抑圧に用いられる抑圧係数を前記サブバンド単位で得る抑圧係数取得ステップと、
前記入力信号と前記抑圧係数取得ステップで得られた抑圧係数とに基づいて、雑音抑圧された出力信号を得る出力信号取得ステップと
を有する事を特徴とする雑音抑圧方法。
【請求項４】
入力信号の現フレームに基づいて入力信号スペクトルをサブバンド単位で得る入力信号スペクトル取得ステップと、
前記入力信号の過去のフレームに基づいて推定された推定雑音スペクトルを前記サブバンド単位で得る推定雑音スペクトル取得ステップと、
前記サブバンド単位で、
前記入力信号スペクトル取得ステップで得られた入力信号スペクトルと、
前記推定雑音スペクトル取得ステップで得られた推定雑音スペクトルと、
前記入力信号スペクトル取得ステップで得られた入力信号スペクトル及び前記推定雑音スペクトル取得ステップで得られた推定雑音スペクトルの関数と
に基づいて、
前記入力信号に含まれる雑音成分の程度が大きいほど小さくなるようなＳＮ比を得るＳＮ比取得ステップと、
前記ＳＮ比取得ステップで得られたＳＮ比に基づいて、前記入力信号の雑音抑圧に用いられる抑圧係数を前記サブバンド単位で得る抑圧係数取得ステップと、
前記入力信号と前記抑圧係数取得ステップで得られた抑圧係数とに基づいて、雑音抑圧された出力信号を得る出力信号取得ステップと
を有する事を特徴とする雑音抑圧方法。
【手続補正２】
【補正対象書類名】明細書
【補正対象項目名】発明の名称
【補正方法】変更
【補正の内容】
【発明の名称】雑音抑圧装置及び雑音抑圧方法
【手続補正３】
【補正対象書類名】明細書
【補正対象項目名】０００１
【補正方法】変更
【補正の内容】
【０００１】
この発明は、種々の雑音環境下で用いられる音声通信システムや音声認識システム等において、例えば音声信号以外の雑音を抑圧する雑音抑圧装置及び雑音抑圧方法に関するものである。
【手続補正４】
【補正対象書類名】明細書
【補正対象項目名】００２７
【補正方法】変更
【補正の内容】
【００２７】
この発明は上記のような課題を解決するためになされたもので、簡単な方法で雑音フレームでの残留雑音発生を抑制し、かつ、高雑音下でも品質劣化が少なく雑音レベル変動にも強い雑音抑圧装置及び雑音抑圧方法を得ることを目的とする。
【手続補正５】
【補正対象書類名】明細書
【補正対象項目名】００２８
【補正方法】変更
【補正の内容】
【００２８】
この発明に係る雑音抑圧装置は、入力信号の現フレームに基づいて入力信号スペクトルをサブバンド単位で得る入力信号スペクトル取得手段と、入力信号の過去のフレームに基づいて推定された推定雑音スペクトルをサブバンド単位で得る推定雑音スペクトル取得手段と、サブバンド単位で、入力信号スペクトル取得手段で得られた入力信号スペクトルと、推定雑音スペクトル取得手段で得られた推定雑音スペクトルと、入力信号スペクトル取得手段で得られた入力信号スペクトル及び推定雑音スペクトル取得手段で得られた推定雑音スペクトルの関数とに基づいて、ＳＮ比を得るＳＮ比取得手段と、ＳＮ比取得手段で得られたＳＮ比に基づいて、入力信号の雑音抑圧に用いられる抑圧係数をサブバンド単位で得る抑圧係数取得手段と、入力信号と抑圧係数取得手段で得られた抑圧係数とに基づいて、雑音抑圧された出力信号を得る出力信号取得手段とを備えたものである。
【手続補正６】
【補正対象書類名】明細書
【補正対象項目名】００２９
【補正方法】変更
【補正の内容】
【００２９】
この発明によれば、入力信号の現フレームに基づいて入力信号スペクトルをサブバンド単位で得る入力信号スペクトル取得手段と、入力信号の過去のフレームに基づいて推定された推定雑音スペクトルをサブバンド単位で得る推定雑音スペクトル取得手段と、サブバンド単位で、入力信号スペクトル取得手段で得られた入力信号スペクトルと、推定雑音スペクトル取得手段で得られた推定雑音スペクトルと、入力信号スペクトル取得手段で得られた入力信号スペクトル及び推定雑音スペクトル取得手段で得られた推定雑音スペクトルの関数とに基づいて、ＳＮ比を得るＳＮ比取得手段と、ＳＮ比取得手段で得られたＳＮ比に基づいて、入力信号の雑音抑圧に用いられる抑圧係数をサブバンド単位で得る抑圧係数取得手段と、入力信号と抑圧係数取得手段で得られた抑圧係数とに基づいて、雑音抑圧された出力信号を得る出力信号取得手段とを備えたことにより、周波数全帯域にわたって変動の少ない特性で雑音抑圧することができ、残留雑音発生を軽減することができるという効果がある。